(57)【特許請求の範囲】
【請求項１】
家具などの被保持物の頂部と家屋の天井との間に位置して、両者間に突っ張りの役目を果たす支柱、上記支柱の上下端に設けた当接部材を具備している転倒防止装置において、上記当接部材は上記支柱に支持される箇所よりも側方に延びる長い支持部を備えており、上記支持部は天井または被保持物との対向面が先端側に向けて斜めに上昇するような反りを形成しており、上記対向面が支柱による突っ張りの際に天井または被保持物に沿うように上記支持部に弾力性を保持させており、上記当接部材に対応して、反対側への反りを防止する剛性の部材を支柱の端部に装備していることを特徴とする転倒防止装置。
【請求項２】
上記剛性の部材は、支柱の端部の周面との間に間隙を有して支柱に装備されており、上記当接部材が天井または被保持物に弾性的に当接することにより上記剛性の部材が支柱の端部の周面に当接して反対側への反り返りを防止することを特徴とする請求項１記載の転倒防止装置。
【請求項３】
上記剛性の部材は、上記支持部の反りを受けとめる水平な平面を有した状態で支柱の端部に固着されることにより、当接部材の反対側への反りを防止することを特徴とする請求項１記載の転倒防止装置。
【請求項４】
上記支柱は、互いに上下に嵌合する一対の支柱部材から構成されると共に、両支持部材を所要位置で互いに連結・固定する固定手段を装備しており、上記固定手段は、互いに嵌合する上記支柱部材の内、内側支柱部材の外周周面に雄ねじを形成し、両支柱部材の嵌合口において、外側支柱部材に回転可能に調整ナットを装備しており、上記調整ナット内には、上記内側支柱部材の押し込み方向にテーパーをなす複数の案内面を形成すると共に、上記調整ナットの回転と一緒に回転する状態で、上記案内面に対応して複数の雌ねじ駒を装備し、この雌ねじ駒を上記案内面に案内させて半径方向に移動して上記雄ねじに係脱するように構成してなり、上記調整ナット内に装備した弾持機構で、上記雌ねじ駒を外側支柱部材の方向に弾持していることを特徴とする請求項１〜３のいずれか１項に記載の転倒防止装置。
【発明の詳細な説明】
【０００１】
【発明の属する技術分野】
本発明は、主として、地震などの振動によって、家具などが転倒しないように、その家具などの設置場所で使用する転倒防止装置に関するものである。
【０００２】
【従来の技術】
通常、上述のような、家具などの転倒防止装置には、例えば、実開昭５５ー１０４９４９号ならびに実開昭５５−１０４９５０号（実公昭５７−１２９２２号公報）の明細書などに記載されているように、家具などの被保持物の頂部と家屋の天井との間に位置して、両者間に突っ張りの役目を果たす支柱、上記支柱の上下端に設けた当接部材を設けている。ここでは、当接部材に、それより側方に延びるベース部材を履かせて、より広い面積で、天井部や家具頂面を支持することが工夫されている。
【０００３】
【発明が解決しようとする課題】
しかし、このような家具などの転倒防止装置では、家具などの設置場所によって、上述の支柱が立つ位置が、必ずしも、天井部の梁や桟で支えられた天井板の箇所に対応していない場合があり、支柱を突っ張った際、当接部材と、これに履かされたベース部材が天井部の支え箇所との間に相当な距離ができ、ベース部材に曲げ力が働き、十分な突っ張りが果たせない虞がある。しかも、地震発生時には、ベース部材に適当な弾性力がないと、広い面積での支持効果が期待できない上、これが天井板の弱い箇所（梁や桟で裏側から支えれられていない箇所）を損傷する虞もある。
【０００４】
本発明は、上記事情に基づいてなされたもので、その目的とするところは、支柱による突っ張りの際に、少なくとも、天井に当接部材が、弾性的な撓みを起こして、天井の、十分に強度を保持する箇所で、支持効果を得ると共に、地震発生の際も、その弾性復元力で、十分に振動を減衰、吸収することができ、また、一定以上の弾性的な撓みを防止して、支持強度を確保できるようにした転倒防止装置を提供するにある。
【０００５】
【課題を解決するための手段】
このため、本発明では、家具などの被保持物の頂部と家屋の天井との間に位置して、両者間に突っ張りの役目を果たす支柱、上記支柱の上下端に設けた当接部材を具備している転倒防止装置において、上記当接部材は上記支柱に支持される箇所よりも側方に延びる長い支持部を備えており、上記支持部は天井または被保持物との対向面が先端側に向けて斜めに上昇するような反りを形成しており、上記対向面が支柱による突っ張りの際に天井または被保持物に沿うように上記支持部に弾力性を保持させており、上記当接部材に対応して、反対側への反りを防止する剛性の部材を支柱の端部に装備している。
【０００６】
この場合、上記剛性の部材は、支柱の端部の周面との間に間隙を有して支柱に装備されており、上記当接部材が天井または被保持物に弾性的に当接することにより上記剛性の部材が支柱の端部の周面に当接して反対側への反り返りを防止する。また、上記剛性の部材は、上記支持部の反りを受けとめる水平な平面を有した状態で支柱の端部に固着されることにより、当接部材の反対側への反りを防止する。
【０００７】
また、上記支柱は、互いに上下に嵌合する一対の支柱部材から構成され、また、両支柱部材を、所要位置で、互いに連結・固定する固定手段を装備していることが望ましい。
【０００８】
上記固定手段は、互いに嵌合する上記支柱部材の内、内側支柱部材の外周周面に雄ねじを形成し、両支柱部材の嵌合口において、外側支柱部材に回転可能に調整ナットを装備しており、上記調整ナット内には、上記内側支柱部材の押し込み方向にテーパーをなす複数の案内面を形成すると共に、上記調整ナットの回転と一緒に回転する状態で、上記案内面に対応して複数の雌ねじ駒を装備し、この雌ねじ駒を上記案内面に案内させて半径方向に移動して上記雄ねじに係脱するように構成してなり、上記調整ナット内に装備した弾持機構で、上記雌ねじ駒を外側支柱部材の方向に弾持しているのが、突っ張り操作の上で有利である。
【０００９】
【発明の実施の形態】
以下、本発明の実施形態を、図面を参照しながら具体的に説明する。本発明に係わる家具などの転倒防止装置は、基本的には、家具などの被保持物Ｆの頂部と家屋の天井Ｃとの間に位置して、両者間に突っ張りの役目を果たす支柱１、支柱１の上下端に設けた、弾性を有する金属製あるいは合成樹脂製の当接部材２、３を具備している。
【００１０】
特に、本発明の転倒防止装置においては、図２および図３に示すように、少なくとも、天井Ｃ側に当接する当接部材２は、支柱１に支持される箇所よりも側方に延びる長い支持部２Ａを備えており、支持部２Ａは、その上面２Ｂが先端側に向けて斜めに上昇するような反りを形成しており、上面２Ｂが支柱１による突っ張りの際に天井面に沿うように、支持部２Ａに弾力性を保持させている。
【００１１】
また、被保持物Ｆの頂部に当接する当接部材３は、支柱１に支持される箇所よりも側方に延びる長い支持部３Ａを備えており、支持部３Ａは、その下面３Ｂが先端側に向けて斜めに下降するような反りを形成しており、下面３Ｂが支柱１による突っ張りの際に被保持物Ｆの頂部に沿うように、支持部２Ａに弾力性を保持させている。
【００１２】
また、当接部材２および３に対応して、反対側への反りを防止する剛性の部材４および５を装備している。なお、この実施の形態では、剛性の部材４、５が当接部材２、３に装着されており、その基端部が支柱１の上下端部の周面に、適当な間隙を介して、対峙させてある。支柱１は、互いに上下に嵌合する一対の支柱部材１４、１５から構成され、両支柱部材１４、１５を、所要位置で、互いに連結・固定する固定手段６を装備している。
【００１３】
この固定手段６は、この実施例では、図４ないし図５に示すように、互いに嵌合する支柱部材１４、１５の内、内側支柱部材１４の外周周面に雄ねじ１４Ａを形成し、両支柱部材１４、１５の嵌合口において、外側支柱部材１５に回転可能に調整ナット６Ａを装備している。
【００１４】
調整ナット６Ａ内には、内側支柱部材１４の押し込み方向にテーパーをなす複数の、この実施例では、互いに対向する２個の案内面６Ｂ、６Ｂが形成されており、また、調整ナット６Ａの回転と一緒に回転する状態（例えば、案内面６Ｂ、６Ｂの両側の摺動支持面６Ｃ、６Ｃで支えられた状態）で、案内面６Ｂ、６Ｂに対応して複数の（２個の）雌ねじ駒７、７が装備されている。そして、この雌ねじ駒７、７を案内面６Ｂ、６Ｂに案内させて、半径方向に移動し、これによって、雄ねじ１４Ａに対して係脱するように構成してある。
【００１５】
また、調整ナット６Ａ内には圧縮コイルばねなどの弾持機構８が装備してあって、この弾持機構８で、雌ねじ駒７、７を、案内面６Ｂ、６Ｂに押し付けるように、外側支柱部材５の方向に弾持している。
【００１６】
このような構成では、内側支柱部材１４を上方に引き出した際、雌ねじ駒７、７が弾持機構８に抗して調整ナット６Ａ内で上昇し、案内面６Ｂ、６Ｂに沿って半径方向の外向きに移動して、雄ねじ１４Ａに対する螺合を解除するので、スムーズに引き出される。この状態で、引き上げを停止すれば、ばね力で、再び、雌ねじ駒７、７が案内面６Ｂ、６Ｂに沿って、半径方向の内向きに移動し、雄ねじ１４Ａに対して螺合される。
【００１７】
次いで、調整ナット６Ａを回動調節することで、雌ねじ駒７、７を螺動して、支柱部材１４を上昇させ、図１に示すように、支柱１の突っ張りにより、当接部材２を、その支持部２Ａを撓ませながら、天井面に圧接できる。なお、この実施形態では、当接部材３の支持部３Ａも、被保持物Ｆの頂部に弾接される。
【００１８】
従って、支柱１に対応する天井面の箇所が、裏側で梁や桟に支持されていなくても、支持部２Ａの何れかの箇所で、上述の梁や桟で支持された強度の十分な箇所において、当接部材２を当接させ、支持部２Ａの、更には、支持部３Ａの撓みによる弾性力で、十分な突っ張り状態を確保できる。これは、地震の際の振動の減衰および吸収の効果も発揮する。
【００１９】
しかも、天井面や被保持物の頂部に当接部材２、３を弾性的に当接させる時、その撓みで、剛性の部材４、５の各基端部を支柱１の周面に当接して、それ以上の撓みを抑止し、反対側への反り返りが防止され、被保持物の過剰な揺れを抑え、また、確実な保持を補償できる。
【００２０】
なお、図６および図７に示す別の実施形態では、剛性の部材４Ａおよび５Ａは、当接部材２、３に対応して、水平な平面でこれを受けとめるように、それぞれ、その基端を支柱１の上下端部に固着している。このため、弾性的な撓み代が、前述の剛性の部材４Ａ、５Ａで制限されているために、反対側への反り返りが防止され、被保持物の過剰な揺れを抑え、また、確実な保持を補償できる。
【００２１】
なお、上述の各実施例では、天井Ｃや被保持物Ｆに当接する当接部材２、３の面には、例えば、高低差のある突起など（図示せず）を形成したゴムシート９が貼着されていて、接触摩擦と、地震の際の振動に際しての弾接ストロークを確保している。
【００２２】
【発明の効果】
本発明は、以上詳述したように、家具などの被保持物の頂部と家屋の天井との間に位置して、両者間に突っ張りの役目を果たす支柱、上記支柱の上下端に設けた当接部材を具備している転倒防止装置において、上記当接部材は上記支柱に支持される箇所よりも側方に延びる長い支持部を備えており、上記支持部は天井または被保持物との対向面が先端側に向けて斜めに上昇するような反りを形成しており、上記対向面が支柱による突っ張りの際に天井または被保持物に沿うように上記支持部に弾力性を保持させているので、支柱による突っ張りの際に、天井または被保持物に当接部材が、弾性的な撓みを起こして支持効果を得ると共に、地震発生の際も、その弾性復元力で、十分に振動を減衰、吸収することができる。しかも、また、上記当接部材に対応して、反対側への反りを防止する剛性の部材を支柱の端部に装備しているので、弾性的な撓み代が、前述の剛性の部材で制限されているために、反対側への反り返りが防止され、被保持物の過剰な揺れを抑え、また、確実な保持を補償できる。
【図面の簡単な説明】
【図１】本発明に係わる実施形態において、転倒防止装置を家具などの被保持物に適用した状態を示す側面図である。
【図２】本発明に係わる第１の実施形態を示す側面（Ａ）および底面図で（Ｂ）ある。
【図３】同じく、使用態様の側面図である。
【図４】本発明に係わる固定手段の一具体例を示す使用態様の縦断側面図（Ａ），（Ｂ）である。
【図５】同じく、横断平面図である。
【図６】本発明の第２の実施形態を示す側面図である。
【図７】同じく、平面図である。
【符号の説明】
１    支柱
２、３    当接部材
２Ａ、３Ａ    支持部
２Ｂ    上面
３Ｂ    下面
３Ｃ、３Ｄ    当接部
３Ｅ    取付孔
４、５    剛性の部材
６    固定手段
６Ａ    調整ナット
６Ｂ    案内面
６１    ピン挿入孔
６２    ピン貫通孔
６３    ピン
７    雌ねじ駒
８    弾持機構
９    ゴムシート
１４    内側支柱部材
１４Ａ    雄ねじ
１５    外側支柱部材
５１、５２、５３、５４    支柱部材
Ｃ    天井
Ｆ    被保持物（家具など）
【図１】
0003546224.tif 000002
【図２】
0003546224.tif 000003
【図３】
0003546224.tif 000004
【図４】
0003546224.tif 000005
【図５】
0003546224.tif 000006
【図６】
0003546224.tif 000007
【図７】
0003546224.tif 000008